(57)【要約】【課題】設置の作業性を向上できる照明装置を提供する。【解決手段】照明装置10は、灯体16、固定台14および電源ユニット15を備える。灯体16は、発光素子を有する。固定台14は、締結手段42によって締結される締結部43が設けられた固定部40、および灯体16を支持するアーム41を有する。電源ユニット15は、締結部43に対向してアーム41に支持されているとともに、アーム41に支持された状態で締結部43との間隔が開く方向に固定部40に対して傾斜されている。【選択図】図１
2015146234.tif 000002
【特許請求の範囲】
【請求項１】
発光素子を有する灯体と；
締結手段によって締結される締結部が設けられた固定部、および前記灯体を支持するアームを有する固定台と；
前記締結部に対向して前記アームに支持されているとともに、前記アームに支持された状態で前記締結部との間隔が開く方向に前記固定部に対して傾斜されている電源ユニットと；
を具備することを特徴とする照明装置。
【請求項２】
発光素子を有する灯体と；
締結手段によって締結される締結部が設けられた固定部、および前記灯体を支持するアームを有する固定台と；
前記アームに回動可能に支持され、前記固定部の前記締結部に対向する第１の位置と、この第１の位置よりも前記固定部の前記締結部との間隔が開く第２の位置との間で回動可能とする電源ユニットと；
を具備することを特徴とする照明装置。
【請求項３】
前記電源ユニットは、第２の位置で前記固定部に対して傾斜状態となる
ことを特徴とする請求項２記載の照明装置。
【請求項４】
前記アームは、前記電源ユニットが第２の位置から回動するのを規制するストッパ部を有する
ことを特徴とする請求項２または３記載の照明装置。
【発明の詳細な説明】
【技術分野】
【０００１】
本発明の実施形態は、発光素子を光源とする照明装置に関する。
【背景技術】
【０００２】
従来、例えば競技場や建造物等を照明するための投光器として用いられる照明装置がある。このような照明装置では、発光素子としてのＬＥＤの性能の向上により、今までのＨＩＤランプに代えてＬＥＤを光源に用いたものがある。
【０００３】
ＬＥＤを光源とする照明装置では、ＬＥＤを点灯させるための電源ユニットを備えている。この電源ユニットは照明装置の灯体に配置したものがあるが、ＬＥＤと電源ユニットとの熱的な干渉が生じやすくなる。そこで、電源ユニットを灯体から分離し、灯体を支持して設置するための固定台に配置することにより、ＬＥＤと電源ユニットとの熱的な干渉を低減することが可能となる。
【０００４】
固定台は、固定部、およびこの固定部から突出されて灯体を支持するアームを備えている。固定部は、照明装置を設置する設置場所にボルト等の締結手段によって締結される。そして、電源ユニットは、固定部の上方に対向してアームに水平に取り付けられている。
【先行技術文献】
【特許文献】
【０００５】
【特許文献１】特開２０１３−１１４９１６号公報
【発明の概要】
【発明が解決しようとする課題】
【０００６】
しかしながら、電源ユニットをアームに取り付けていると、固定台を設置する際、電源ユニットが邪魔になって締結手段による締結作業を行いにくかったり、締結作業を行えないために電源ユニットをアームから一旦取り外さなければならず、設置の作業性が悪い問題がある。
【０００７】
本発明が解決しようとする課題は、設置の作業性を向上できる照明装置を提供することである。
【課題を解決するための手段】
【０００８】
実施形態の照明装置は、灯体、固定台および電源ユニットを備える。灯体は、発光素子を有する。固定台は、締結手段によって締結される締結部が設けられた固定部、および灯体を支持するアームを有する。電源ユニットは、締結部に対向してアームに支持されているとともに、アームに支持された状態で締結部との間隔が開く方向に固定部に対して傾斜されている。
【発明の効果】
【０００９】
本発明によれば、電源ユニットが固定台のアームに支持されていても、この電源ユニットが固定部に対して傾斜することにより、固定部の締結部を締結手段によって締結する際に、電源ユニットが作業の邪魔になりにくく、設置の作業性が向上することが期待できる。
【図面の簡単な説明】
【００１０】
【図１】一実施形態を示す照明装置の電源ユニットを退避位置に配置した後面側の斜視図である。
【図２】同上照明装置の電源ユニットを取付位置に配置した後面側の斜視図である。
【図３】同上照明装置の前面側の斜視図である。
【発明を実施するための形態】
【００１１】
以下、一実施形態を、図１ないし図３を参照して説明する。
【００１２】
図１ないし図３は、照明装置10として投光器を示す。この照明装置10は、本体11、本体11の後部側に配置される光源ユニット12、本体11の前部側に配置される光制御ユニット13、本体11を支持する固定台14、および固定台14に配置される電源ユニット15を備えている。そして、本体11、光源ユニット12および光制御ユニット13によって、投光器本体である灯体16が構成されている。
【００１３】
そして、本体11は、例えばアルミダイカストによって、前後に開口する円筒状に形成されている。
【００１４】
また、光源ユニット12は、複数の光源部20、およびこれら光源部20が取り付けられた放熱体21を備えている。
【００１５】
光源部20は、基板22、および基板22の前面に複数の発光素子としてのＬＥＤ23を実装した発光部24を備えている。光源部20は、ＣＯＢ（Chip On Board）モジュールによって構成されている。基板22は、ねじで放熱体21の前面に固定されて熱的に接続されている。そして、本実施形態では、放熱体21の前面中央部に１つの光源部20が配置され、中央の光源部20を囲むように放熱体21の前面周辺部に６つの光源部20が配置されているが、このような配置形態に限られるものではない。
【００１６】
放熱体21は、５０〜２５０Ｗ／ｍ・Ｋの熱伝導率を有する例えばアルミニウムやマグネシウム等の金属材料で形成されている。放熱体21は、ベース25、およびベース25の後面から突出する複数の放熱フィン26を備えている。ベース25は、平板状に形成され、厚さが８〜１５ｍｍ、好ましくは９〜１１ｍｍとしている。ベース25の前面に複数の光源部20が取り付けられている。ベース25の後面に複数の溝が上下方向（縦方向）に沿って形成され、これら溝に放熱フィン26の前端が圧入されて固定されている。複数の放熱フィン26は、ベース25に上下方向に沿って配置され、左右方向に隣接する放熱フィン26間に空気が流通する間隔があけられている。放熱フィン26間の間隔は、６〜１０ｍｍ、好ましくは７〜９ｍｍとしている。
【００１７】
また、光制御ユニット13は、反射体ユニット30、この反射体ユニット30を収容するケース31、およびケース31の前面を閉塞する透光カバー32を備えている。
【００１８】
反射体ユニット30は、複数の反射体33、およびこれら反射体33を一体に保持するホルダ34を備えている。各反射体33は、前後に開口する円筒状で、後側から前側へ向かって拡開する放物面状に形成されている。各反射体33の内面には、鏡面状の反射面が形成されている。各反射体33の前端周辺にはホルダ34に取り付けられるフランジ35が突設されている。そして、各反射体33の後端開口が各光源部20の発光部24に対向配置され、発光部24から出射される光が反射体33内に入射される。
【００１９】
ケース31は、例えばアルミニウム等の金属材料で形成されている。ケース31は、前後に開口する円筒状で、後側から前側に向かって拡開するように形成されている。
【００２０】
透光カバー32は、透明なガラスで、円板状に形成されている。そして、透光カバー32の周辺部がシール材を介してケース31の前端に配置され、ケース31の前端をかしめることにより、透光カバー32がケース31の前面に固定されている。
【００２１】
また、固定台14は、灯体16を回動可能に支持し、構造物などの被設置部に灯体16を設置される。固定台14は、固定部40、およびこの固定部40の両側から突出する一対のアーム41を備えている。固定台14は、金属板を断面略Ｕ字形に折り曲げて形成されている。
【００２２】
固定部40は、平板状に形成されている。固定部40の中央部には、被設置部に締結手段42によって締結するための締結部43が形成されている。締結部43は、中心孔44、およびこの中心孔44を中心として円弧状に形成された長孔45とを備えている。
【００２３】
締結手段42は、例えばボルト46が用いられる。ボルト46が中心孔44および長孔45にそれぞれ上方から挿通されるとともに被設置部に螺着されることにより、固定部40を被設置部に締結する。なお、締結手段42としては、被設置部側からボルトを突設し、中心孔44および長孔45を挿通して固定部40の上方に突出したボルトにナットを螺着する構成でもよい。
【００２４】
アーム41は、固定部40から斜め前方へ向けて立ち上げられている。アーム41の先端には、本体11の両側に連結される軸部材47が取り付けられている。アーム41は、軸部材47を中心として灯体16を回動可能に支持している。
【００２５】
本体11の側面に円板48が固定され、アーム41の内側に円板48をアーム41との間に挟持可能とする挟持部材49が配置され、アーム41に回動可能に取り付けられたハンドル50が挟持部材49に螺着されている。そして、ハンドル50を締め付け操作すると、円板48をアーム41と挟持部材49との間に挟み込み、灯体16をアーム41に対して固定し、また、ハンドル50を緩めると、灯体16をアーム41に対して回動可能とし、灯体16からの光照射方向を調整することができる。
【００２６】
アーム41の中間位置には、電源ユニット15を取り付ける電源ユニット取付部51が設けられている。電源ユニット取付部51は、第１の孔52と第２の孔53を備えている。さらに、電源ユニット取付部51には、ストッパ部54を備えている。ストッパ部54は、アーム41の後端から突出する突出部55を備えている。ストッパ部54は、アーム41の後端で構成される下方向規制部56と、突出部55の下側で構成される上方向規制部57とを備えている。下方向規制部56と上方向規制部57との間に溝部58が形成されている。ストッパ部54（突出部55、下方向規制部56、上方向規制部57および溝部58等）は、第１の孔52を中心として第２の孔53と同じ半径位置に配置されている。
【００２７】
また、電源ユニット15は、電源回路60、電源回路60を収納する電源ケース61を備えている。電源回路60は、交流電源を所定の直流電源に変換して光源部20のＬＥＤ23に供給する。
【００２８】
電源ケース61の前面、および下面の前寄り位置に、第１の取付金具62および第２の取付金具63がそれぞれ固定されている。各取付金具62，63の両側には取付片62a，63aがそれぞれ折曲形成され、これら取付片62a，63aに挿通孔が形成されている。
【００２９】
第１の取付金具62および第２の取付金具63を利用し、第１の取付手段64および第２の取付手段65によって電源ケース61をアーム41に取り付けている。
【００３０】
第１の取付手段64は、第１のボルト66および第１のナット67を有する。第１のボルト66の先端をアーム41の第１の孔52および第１の取付金具62の取付片62aの挿通孔に挿通し、第１のナット67を第１のボルト66の先端に螺合し、これら第１のボルト66と第１のナット67との間でアーム41と取付片62aとを締め付け固定する。第１のボルト66と第１のナット67とを緩めた状態（第２の取付手段65は非取付状態）では、第１のボルト66を中心として電源ケース61を上下方向に回動可能とする。
【００３１】
第２の取付手段65は、第２のボルト68および第２のナット69を有する。第２のボルト68の先端をアーム41の第２の孔53および第２の取付金具63の取付片63aの挿通孔に挿通し、第２のナット69を第２のボルト68の先端に螺合し、これら第２のボルト68と第２のナット69との間でアーム41と取付片63aとを締め付け固定する。
【００３２】
電源ケース61には、電源回路60に交流電源を供給する電源ケーブル、および電源回路60で変換された直流電源を光源部20のＬＥＤ23に供給する給電ケーブルが接続されている。給電ケーブルの先端は、本体11の後部に取り付けられた配線ボックス70に接続されている。配線ボックス70は給電ケーブルと光源部20とを電気的に接続する。
【００３３】
次に、このように構成された照明装置10の動作を説明する。
【００３４】
電源ユニット15から各光源部20に直流電源を供給することにより、各光源部20が発光し、各光源部20からの光が各反射体33内に入射して配光が制御され、配光が制御された光が透光カバー32を透過して出射し、照明対象物を照明する。
【００３５】
各光源部20の発光時に発生する熱は、放熱体21に伝わり、放熱体21の複数の放熱フィン26から大気中に自然放熱される。
【００３６】
また、図２および図３は、照明装置10を被設置部に設置した使用状態を示す。この使用状態では、第１の取付手段64の第１のボルト66がアーム41の第１の孔52、第１の取付金具62の取付片62aの挿通孔を挿通し、第１のナット67を第１のボルト66の先端に螺合し、これら第１のボルト66と第１のナット67との間でアーム41と取付片62aとを締め付け固定している。さらに、第２の取付手段65の第２のボルト68がアーム41の第２の孔53、第２の取付金具63の取付片63aの挿通孔を挿通し、第２のナット69を第２のボルト68の先端に螺合し、これら第２のボルト68と第２のナット69との間でアーム41と取付片63aとを締め付け固定している。
【００３７】
これにより、電源ユニット15すなわち電源ケース61は、一対のアーム41に対して締結部43を含む固定部40の上方の第１の位置に支持されている。第１の位置の電源ケース61は、固定部40の上面と略平行に対向配置され、固定部40が水平面に設置される場合には水平に配置されている。
【００３８】
電源ケース61が第１の位置にある状態では、電源ケース61の下面と固定部40との間隔は、比較的狭く、照明装置10を被設置部に設置する際にボルト46を操作することが難しい間隔となっている。そのため、照明装置10を被設置部に設置する際、電源ケース61が第１の位置にある状態では、設置作業を行うことが難しい。
【００３９】
また、図１は、照明装置10を被設置部に設置する際の設置作業状態を示す。この設置作業状態では、第１の取付手段64は、上述した使用状態と同様の状態にある。また、第２の取付手段65の第２のボルト68がアーム41のストッパ部54（溝部58）、第２の取付金具63の取付片63aの挿通孔を挿通し、第２のナット69を第２のボルト68の先端に螺合し、これら第２のボルト68と第２のナット69との間でアーム41と取付片63aとを締め付け固定している。
【００４０】
これにより、電源ケース61は、一対のアーム41に対して第１の位置よりも固定部40の締結部43との間隔が開く第２の位置に支持されている。第２の位置の電源ケース61は、固定部40の上面に対して、例えば３０°程度傾斜する傾斜状態に対向配置されている。第２のボルト68がストッパ部54の溝部58に嵌っており、第２のボルト68が下方向規制部56に当接することで、電源ケース61が第１の位置へ向けた下方向に回動するのが規制されている。さらに、第２のボルト68が上方向規制部57に当接することで、電源ケース61が灯体16に近付く上方向に回動するのが規制されている。したがって、電源ケース61は第２の位置で保持されている。
【００４１】
電源ケース61が第２の位置にある状態では、電源ケース61の下面と固定部40との間隔は、電源ケース61が第１の位置にある場合より広く、照明装置10を被設置部に設置する際にボルト46を容易に操作することができる。
【００４２】
そして、照明装置10を被設置部に設置した後には、電源ケース61を第２の位置から第１の位置に回動させ、使用状態とする。この場合、第１のボルト66と第１のナット67との締め付けを緩め、第２のナット69を第２のボルト68から外し、第２のボルト68を第２の取付金具63およびアーム41から抜き外す。これにより、第１のボルト66を中心として電源ケース61を下方の第１の位置へ回動させることができる。電源ケース61を第１の位置に配置し、第２のボルト68をアーム41の第２の孔53、第２の取付金具63の取付片63aの挿通孔を挿通し、第２のナット69を第２のボルト68の先端に螺合し、これら第２のボルト68と第２のナット69との間でアーム41と取付片63aとを締め付け固定する。これにより、電源ケース61を第１の位置に配置する。
【００４３】
そして、電源ケース61を第１の位置を配置することにより、灯体16の向きを調整しても、灯体16の放熱体21と電源ケース61とが接触するのを防止でき、また、放熱体21と電源ケース61との熱的な干渉も防止することができる。
【００４４】
このように、本実施形態の照明装置10によれば、電源ユニット15が固定台14のアーム41に支持されていても、この電源ユニット15が固定部40に対して傾斜することにより、固定部40の締結部43を締結手段42によって締結する際に、電源ユニット15が作業の邪魔になりにくく、設置の作業性を向上できる。
【００４５】
また、電源ユニット15は、固定部40の締結部43に対向する第１の位置と、この第１の位置よりも固定部40の締結部43との間隔が開く第２の位置との間で回動可能とする。そのため、固定部40の締結部43を締結手段42によって締結する際に、電源ユニット15を第２の位置に回動させておくことにより、電源ユニット15が作業の邪魔になりにくく、設置の作業性を向上でき、また、締結後は、電源ユニット15を第１の位置に回動させることができる。しかも、電源ユニット15は、第２の位置で固定部40に対して傾斜状態となるため、電源ユニット15が作業の邪魔になりにくく、設置の作業性を向上できる。
【００４６】
また、アーム41は、電源ユニット15が第２の位置から回動するのを規制するストッパ部54を有するため、固定部40の締結部43を締結手段42によって締結する際等に、電源ユニット15が不用意に第２の位置から回動するのを防止できる。
【００４７】
また、固定台14の固定部40から斜め前方へ向けて立ち上げられたアーム41の先端に灯体16を支持しており、照明装置10として前部側の質量が大きくなるが、電源ユニット15の前部側をアーム41に取り付け、電源ユニット15の後部側をアーム41の後方に配置することにより、照明装置10の前後方向における重心バランスを改善することができる。なお、光照射方向に対応した灯体16の向き等によっては、電源ユニット15をアーム41の前側に配置してもよい。
【００４８】
また、照明装置10を屋外に設置する場合には、電源回路60の電子部品を雷から保護するためのサージアブソーバを用いる。この場合、サージアブソーバを電源回路60に組み込んで電源ケース61内に収納することが一般的である。しかしながら、照明装置10を室内に設置する場合には、サージアブソーバは不要であるが、サージアブソーバを備えた電源ユニット15は余計なコストがかかることになる。そこで、サージアブソーバは電源ケース61の電源回路60と電源ケーブルとの間に着脱可能に構成とする。これにより、照明装置10を屋外に設置する場合にはサージアブソーバを装着し、照明装置10を屋内に設置する場合にはサージアブソーバは装着しないことにより、屋外用のと屋内用とで電源ユニット15を共用することができる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
10    照明装置
14    固定台
15    電源ユニット
16    灯体
23    発光素子としてのＬＥＤ
40    固定部
41    アーム
42    締結手段
43    締結部
54    ストッパ部
【図１】
2015146234.tif 000003
【図２】
2015146234.tif 000004
【図３】
2015146234.tif 000005